(57)【要約】      （修正有）【課題】土壌資料収納用の複数の収納溝を有する木製のコア箱へボーリング試料を収納する際の、収納溝へのフィルムの敷き込みと切り揃えという、長年慣習的に続けられてきた作業を、簡便な手段により不要化すると共に、コア箱の利用価値を向上させるインナー・トレーを提供する。【解決手段】複数の樋状膨出部６‥６を具えて硬質プラスッチック・シートから一体に形成されるコア箱用インナー・トレー５であって、該膨出部が結合部８を介して横に連なり、コア箱の複数の収納溝にワンタッチで嵌め込まれて各溝の内面を覆うことを特徴とする。また前記プラスッチックシートが透明又は半透明であり、前記樋状膨出部の壁面に、内容物の長さを測る目盛７を具え、前記結合部８に沿って切り離しを容易にするミシン目９を設ける。【選択図】図２
0003144635.tif 000002
【実用新案登録請求の範囲】
【請求項１】
複数の樋状膨出部を具えて硬質プラスッチック・シートから一体に形成されるコア箱用インナー・トレーであって、該膨出部が結合部を介して横に連なり、コア箱の複数の収納溝へワンタッチで嵌め込まれて各溝の内面を覆うことを特徴とするインナー・トレイ。
【請求項２】
前記プラスッチック・シートが透明又は半透明であり、前記樋状膨出部の壁面に、内容物の長さを測る目盛を具えることを特徴とする請求項１記載のインナー・トレイ。
【請求項３】
前記結合部に沿って切り離しを容易にするミシン目を設けたことを特徴とする請求項２記載のインナー・トレイ。
【考案の詳細な説明】
【技術分野】
【０００１】
本考案は、土壌汚染調査でのボーリングにより採取される土壌資料を収納保管するコア箱に用いるインナー・トレイ（内部容器）に関する。
【背景技術】
【０００２】
平成１４年に公布された「土壌汚染対策法」には、「特定有害物質」の土壌中濃度を調べる「土壌汚染状況調査」が規定されている。この調査では、地中の土壌堆積状態や含水状態を保存したまま取り出すことができる土壌環境用ボーリングマシンを用いて、掘削深度５〜１０メートルの土壌資料を採取し、得られた資料を「コア箱」と呼ばれる木箱中の細長い区画（「収納溝」、又は単に「溝」）に収納し、分析に供する。１調査区域のボーリング数は通常数百〜千以上になる。土壌試料の保存期間は３ヶ月程度が多いが、初期調査から土壌汚染対策完了まで１〜２年に亘る場合も希ではない。
【０００３】
図１にコア箱の例を示す。参照符号１はコア箱本体、２は蓋、３はヒンジ、４は収納溝である。コア箱に関する規格はないが、全て木製である。図示のものは、収容可能な土壌資料の長さが１メートル、幅と深さが約５０ミリメートルの、５列の収納溝４が平行に設けられ、箱全体を覆う蓋２を具える。なお収納溝の幅と深さは、ボーリング試料のサイズに合わせて７０〜８０ミリメートルのものも用いられる。プラスチック製のコア箱は、木箱に較べて割高なことと廃棄費用等の点から、従来は用いられなかった。
【０００４】
土壌試料は、収納溝内面との間に薄いビニールフィルム等を介在させて収納される。フィルムを介在させる理由は、土壌資料中の有害成分が水と共に流出して木箱を汚染させたり、長期保存中に木箱を腐食させたりしないためである。なお、フィルムを介在させるだけでは水漏れを完全に防止できない。資料が揮発分を含む場合は、その一部をガラス瓶へ分取し冷暗所に保存する。コア箱へ収納し終わった土壌資料の状態や日付を記録するため写真撮影を行うが、収納溝からはみ出したフィルムの端が撮影の邪魔になるので、これをカッターナイフ等で切り揃えることが行われる。
【０００５】
かつて考案者が視たある現場では、コア箱を２０００個以上使用し、作業員がビニールフィルムをロールで持ち込んでコア箱の溝に合わせて裁断し、フィルムが風で飛ばされないよう注意しながら資料を収めていた。資料がコア箱に収まると、現場管理者が溝周りにはみ出したフィルムをカッターナイフで切り揃え、上方から撮影する作業を一日何百回となく繰り返していた。これが従来のコア箱への土壌資料収納作業の実態である。
【０００６】
ところで、コア箱の由来に詳しい箱製造業者によれば、コア箱は昭和３８年頃には既に存在し、コア箱を用いる作業が行われていたという。尤も、当時盛んに行われていたのは地盤調査のためのボーリングであった。特許文献１には、標準貫入試験の資料を「プラスチック製の透明な袋に密封して」コア箱に収納する様子が示されている（図８）。現在の土壌汚染調査におけるビニールフィルム等を用いる収納方法との類似性が認められる。
【０００７】
【特許文献１】特開平１０−９０１３０号公報
【０００８】
平成１４年の土壌汚染調査本格化以後、本出願時までに既にかなりの年月が経過した。それにも拘わらず、その間「フィルム」が依然として用いられ、他にこれといった改善がなされてこなかった点が注目される。
【考案の開示】
【考案が解決しようとする課題】
【０００９】
本考案の課題は、土壌資料収納用の複数の収納溝を有する木製のコア箱へボーリング試料を収納する際の、収納溝へのフィルムの敷き込みと切り揃えという、長年慣習的に続けられてきた作業を、簡便な手段により不要化すると共に、コア箱の利用価値を向上させることである。
【課題を解決するための手段】
【００１０】
上記の課題は、請求項１乃至３に記載のコア箱用インナー・トレーを用いることにより解決することができる。
【００１１】
請求項１の考案に係るコア箱用インナー・トレーは、複数の樋状膨出部を具えて硬質プラスッチック・シートから一体に形成され、該膨出部が結合部を介して横に連なり、コア箱の複数の収納溝にワンタッチで嵌め込まれて各溝の内面を覆うことを特徴とする。
【００１２】
請求項２の考案は、前記プラスッチックシートが透明又は半透明であり、前記樋状膨出部の壁面に、内容物の長さを測る目盛を具えることを特徴とする。
【００１３】
請求項３の考案は、前記結合部に沿って切り離しを容易にするミシン目を設けることを特徴とする。
【考案の効果】
【００１４】
いうまでもなく、プラスッチック製のインナー・トレーは、各種包装の中仕切りとして広く用いられるが、これをボーリング土壌資料の収納に利用した例は知られていない。しかもその利用には、単なる中仕切りに留まらない、以下のような利点がある。
【００１５】
（１）請求項１の考案によれば、インナー・トレイ中の樋状膨出部がコア箱の収納溝へ嵌め込まれて各溝の内面を覆うので、土壌資料中の水分や有害物質をコア箱の木部から隔離してコア箱を保護することができる。
【００１６】
インナー・トレイ中の樋状膨出部は、コア箱の収納溝へまとめてワンタッチで嵌め込むことができ、現場で迅速に装着できるので、風で舞い易いフィルムを裁断しつつ溝へ敷き込む厄介な現場作業が不要になり、収納に要する人員と時間を大幅に削減することができる。またインナー・トレーはフィルムのように端が内容物の上に掛かることがないので、写真撮影の前に端を切り揃える必要がなく、作業の能率を向上することができる。
【００１７】
さらに、インナー・トレイは傾けない限り水漏れしないので、コア箱の汚染や腐食を有効に防止でき、コア箱を焼却処分せずそのまま再利用することを可能にする。
【００１８】
（２）請求項２の考案によれば、インナー・トレイに収容された土壌資料を透明又は半透明の樋状膨出部の壁を透して観察できるので、壁の目盛により当該部分の位置（トレイの端からの長さ）を知り、地中での層構造の深度推定に役立てることができる。
【００１９】
（３）請求項３の考案によれば、土壌資料が入っていない空の溝に重なる樋状膨出部を、結合部に設けたミシン目を折ることで撤去することができる。こうすれば、それらの溝が当初から空であった（内容物が後に失われたのではない）ことの目印になる。
【考案を実施するための最良の形態】
【００２０】
本考案の最良の実施形態を、一実施例により示す。
【実施例１】
【００２１】
図２は本実施例に係るコア箱用インナー・トレイの平面図(Ａ)、一部破断立面図(Ｂ)、及び断面図(Ｃ)である。
図２のインナー・トレイ５には複数の樋状膨出部６‥６が形成され、図１に示すコア箱１の収納溝４へワンタッチで嵌め込まれ、各溝の内面を覆う。樋状膨出部６の壁面に内容物の長さを測る目盛７が印刷される。また、隣合う樋状膨出部６−６は結合部８により連結され、結合部に沿ってミシン目９が設けられる。
【００２２】
インナー・トレイ５の好適な材料として、例えば、ＰＥＴ（ポリエチレンテレフタレート）製の厚さ０．５ミリメートルの硬質シートを挙げることができる。またこれは、透明又は半透明の硬質ポリプロピレン・シート等であっても良い。
【００２３】
本実施例に係るインナー・トレイは、コア箱へワンタッチで迅速に装着でき、内容物の状況や、ボーリング深度を目視で確認することができ、空の溝にインナー・トレイを選択的に装着しないことで、当初から土壌資料が不在の空溝であったことを示す目印とすることができる。
【図面の簡単な説明】
【００２４】
【図１】コア箱の例を示す平面図である。
【図２】本考案の一実施例に係るコア箱用インナー・トレイを示す平面図(Ａ)、一部破断立面図(Ｂ)、及び断面図(Ｃ)である。
【図３】コア箱に本考案のインナー・トレイを装着し、その中に土壌資料を収納した状態を示す平面図である。
【符号の説明】
【００２５】
１  コア箱本体
２  蓋
３  ヒンジ
４  資料収納溝
５  インナー・トレイ
６  樋状膨出部
７  目盛線
８  結合部
９  ミシン目
１０  土壌資料
【図１】
0003144635.tif 000003
【図２】
0003144635.tif 000004
【図３】
0003144635.tif 000005